(57)【要約】  本発明は、スーパーフレーム構造を基盤とする無線通信システムにおける端末のアイドルモードを支援するための方法及び装置において、ページング聴取区間（ｐａｇｉｎｇ  ｌｉｓｔｅｎｉｎｇ  ｉｎｔｅｒｖａｌ）は、放送チャネル（ＢＣＨ）情報の送信周期に基づいて決定され、ページング情報を含む前記放送チャネル情報は、前記ページング聴取区間の間に受信される。前記放送チャネル（ＢＣＨ）情報を基盤にページング広告（ＭＯＢ＿ＰＡＧ−ＡＤＶ）メッセージが含まれているか否かを検出する。
2011522499.tif 000002
【特許請求の範囲】
【請求項１】
スーパーフレーム（ｓｕｐｅｒｆｒａｍｅ）構造を基盤とする無線通信システムにおけるアイドルモード（ｉｄｌｅ  ｍｏｄｅ）を支援するための端末の動作方法であって、
放送チャネル情報送信区間に基づいてページング聴取区間（ｐａｇｉｎｇ  ｌｉｓｔｅｎｉｎｇ  ｉｎｔｅｒｖａｌ）を決定する過程と、
前記ページング聴取区間の間にページング情報を含んだ放送チャネル情報を受信する過程と、
前記放送チャネル情報に基づいてページング広告メッセージ（ＭＯＢ＿ＰＡＧ＿ＡＤＶ）が含まれているか否かを確認する過程とを含むことを特徴とする方法。
【請求項２】
スーパーフレーム構造を基盤とする無線通信システムにおけるアイドルモードを支援するための基地局の動作方法であって、
該当端末に対してページング広告メッセージ（ＭＯＢ＿ＰＡＧ＿ＡＤＶ）の送信が必要であるか否かを判断する過程と、
放送チャネル情報送信区間に基づいて決定されたページング聴取区間に少なくとも一つ以上の第１フレームを介して前記ページング広告メッセージの送信の有無を知らせるページング指示子を含んだ放送チャネル情報を送信する過程と、
前記ページング聴取区間に少なくとも一つ以上の第２フレームを介して前記ページング広告メッセージを送信する過程とを含むことを特徴とする方法。
【請求項３】
前記放送チャネル情報は、ページンググループ識別子（Ｐａｇｉｎｇ  ｇｒｏｕｐ  Ｉｄｅｎｔｉｆｉｅｒ）、ページング指示子、スーパーフレーム単位の放送チャネル（Ｐｒｉｍａｒｙ  Ｂｒｏａｄｃａｓｔ  ＣＨａｎｎｅｌ：Ｐ−ＢＣＨ）情報変更カウンタ及びＭＯＢ＿ＰＡＧ＿ＡＤＶメッセージの送信時点などを少なくとも一つ以上含み、前記情報は、毎スーパーフレームごとに送信される補助放送チャネル（Ｓｅｃｏｎｄａｒｙ  Ｂｒｏａｄｃａｓｔ  ｃｈａｎｎｅｌ：Ｓ−ＢＣＨ）であるか、一つ若しくはそれ以上のスーパーフレームにかけて送信されるＰ−ＢＣＨであるか、又は別途の放送チャネルを介して送信されることを特徴とする請求項１又は２に記載の方法。
【請求項４】
前記放送チャネル情報を利用してシステム情報獲得が必要であるか否かを判断する過程をさらに含み、
前記システム情報獲得が必要であるか否かを判断する過程は、
前記アイドルモードで獲得した第１ページンググループ識別子と前記放送チャネルを介して獲得した第２ページンググループ識別子とを比較する過程と、
前記第１ページンググループ識別子と前記第２ページンググループ識別子とが同じである場合、前記放送チャネルを介して獲得したスーパーフレーム単位の放送チャネル（Ｐ−ＢＣＨ）情報変更カウンタを確認する過程とを含むことを特徴とする請求項１に記載の方法。
【請求項５】
前記ページング広告メッセージ（ＭＯＢ＿ＰＡＧ＿ＡＤＶ）が前記ページング聴取区間の間に該当スーパーフレームに含まれていないとき、アイドルモードに遷移し、
前記ページング広告メッセージ（ＭＯＢ＿ＰＡＧ＿ＡＤＶ）が前記ページング聴取区間の間に該当スーパーフレームに含まれるとき、ページング対象であるか否かを確認して、ページング対象である場合、ネットワーク進入を行い、ページング対象ではない場合、アイドルモードに遷移することを特徴とする請求項１に記載の方法。
【請求項６】
前記アイドルモードに遷移するとき、前記端末は、ページング周期、ページングオフセット及びページング聴取区間情報を獲得し、
前記ページング周期は、スーパーフレーム単位の放送チャネル（Ｐ−ＢＣＨ）情報送信区間（ｉｎｔｅｒｖａｌ  ｏｆ  Ｐ−ＢＣＨ）の整数倍に該当する長さを有し、
前記ページングオフセットは、前記ページング周期で前記ページング聴取区間時点まで待機する時間であって、前記ページングオフセットは、前記スーパーフレーム単位の放送チャネル（Ｐ−ＢＣＨ）情報送信区間の開始点と一致するか、又は前記スーパーフレーム単位の放送チャネル（Ｐ−ＢＣＨ）情報送信区間のｎ分の１倍の区間に設定され、
前記ページング聴取区間は、一つ以上のスーパーフレーム内に存在し、前記ページング聴取区間の長さは、一つ以上のフレームになることができることを特徴とする請求項１に記載の方法。
【請求項７】
前記ページング指示子は、前記ページング聴取区間でページング広告メッセージが送信の有無を指示する情報の他に、追加に前記ページング聴取区間の長さに対する情報をさらに含むことを特徴とする請求項３に記載の方法。
【請求項８】
前記ページング指示子は、該当ページンググループに対して１ビットから構成されるか、又は前記ページング指示子は、一つのスーパーフレームを構成するフレーム個数と同じビット長のビットマップから構成され、
前記ページング指示子は、一つのスーパーフレームを構成するフレーム個数と同じビット長のビットマップから構成されるとき、前記一つのスーパーフレームを構成するフレームの各々に対してページング広告メッセージの送信の有無を知らせることを特徴とする請求項４に記載の方法。
【請求項９】
無線通信システムにおけるアイドルモードで付加的システム情報及び隣接基地局広告メッセージを処理する端末の動作方法であって、
ページング聴取区間に進入してシステム情報指示メッセージを受信する過程と、
前記システム情報指示メッセージから付加的システム情報及び隣接基地局広告メッセージの変更があるか否かを決定する過程と、
前記付加的システム情報及び前記隣接基地局広告メッセージの送信時点を確認して、該当時点に受信する過程とを含むことを特徴とする方法。
【請求項１０】
無線通信システムにおけるアイドルモードで付加的システム情報及び隣接基地局広告メッセージを処理する端末の動作方法であって、
ページング聴取区間に進入して放送チャネルを受信して、システム情報指示メッセージがあるか否かを判断する過程と、
前記システム情報指示メッセージがあるとき、システム情報指示メッセージを受信する過程と、
前記システム情報指示メッセージから前記付加的システム情報及び前記隣接基地局広告メッセージの変更があるか否かを判断する過程と、
前記変更があるとき、前記付加的システム情報及び前記隣接基地局広告メッセージの送信時点を確認して、該当時点に受信する過程とを含むことを特徴とする方法。
【請求項１１】
前記付加的システム情報及び前記隣接基地局広告メッセージの変更がないとき、ページング非聴取区間に遷移する過程を含むことを特徴とする請求項９又は１０に記載の方法。
【請求項１２】
前記システム情報指示メッセージは、基地局が送信する付加的なシステム制御放送メッセージの情報変更カウント値と、前記基地局が前記付加的なシステム制御放送メッセージを送信する時点情報と、前記基地局が送信する隣接基地局広告メッセージの情報変更カウント値と、前記基地局が前記隣接基地局広告メッセージを送信する時点情報のうち、少なくとも一つ以上を含むことを特徴とする請求項９又は１０に記載の方法。
【請求項１３】
前記付加的システム情報及び前記隣接基地局広告メッセージの送信時点が前記ページング聴取区間に該当すると、前記付加的システム情報及び前記隣接基地局広告メッセージを受信した後に、ページング非聴取区間に遷移する過程を含むことを特徴とする請求項９又は１０に記載の方法。
【請求項１４】
前記付加的システム情報及び前記隣接基地局広告メッセージの送信時点が前記ページング非聴取区間に該当すると、前記端末は、ページング非聴取区間からアウェイクして前記情報及びメッセージを受信した後に、再度ページング非聴取区間に遷移する過程を含むことを特徴とする請求項９又は１０に記載の方法。
【請求項１５】
前記システム情報指示メッセージは、基地局が送信する付加的なシステム制御放送メッセージの情報変更カウント値と、前記基地局が前記付加的なシステム制御放送メッセージを送信する時点情報と、前記基地局が送信する隣接基地局広告メッセージの情報変更カウント値と、前記基地局が前記隣接基地局広告メッセージを送信する時点情報のうち、少なくとも一つ以上を含むことを特徴とする請求項９又は１０に記載の方法。
【請求項１６】
無線通信システムにおけるページング情報を受信するための方法であって、
複数のフレームから構成される該当スーパーフレーム内で、ページング送信のための少なくとも一つ以上のフレームが既決定されるとき、前記ページング送信のためのフレームでマップ情報をデコードする過程と、
前記ページング情報のためのマップ情報を利用して、前記ページング送信のためのフレームでページング情報の位置を確認する過程とを含むことを特徴とする方法。
【請求項１７】
前記ページング送信のためのマップ情報は、該当フレームの任意のサブフレームに位置することを特徴とする請求項１６に記載の方法。
【請求項１８】
前記ページング送信のためのフレーム内にページング情報のためのマップ情報がないとき、ページングメッセージが送信されないことを特徴とする請求項１６に記載の方法。
【請求項１９】
無線通信システムにおけるページング情報を受信するための方法であって、
複数のフレームから構成される該当スーパーフレーム内で、ページングメッセージが送信される開始位置が決定されているとき、前記ページングメッセージのバーストサイズ及びメッセージタイプ情報を確認する過程と、
前記ページングメッセージのバーストサイズ及びメッセージタイプ情報を利用して、該当ページングメッセージが送信される開始位置で、ページングメッセージをデコードする過程とを含むことを特徴とする方法。
【請求項２０】
前記ページングメッセージのバーストサイズ及び前記メッセージタイプ情報は、固定された資源を介して送信されることを特徴とする請求項１９に記載の方法。
【発明の詳細な説明】
【技術分野】
【０００１】
本発明は、無線通信システムに関し、さらに詳細には、無線通信システムにおけるアイドルモード（ｉｄｌｅ  ｍｏｄｅ）に必要なパラメータを決定する方法、アイドルモードでのページングのための基地局／端末装置及び動作方法に関する。
【背景技術】
【０００２】
次世代通信システムである４世帯（４ｔｈ  Ｇｅｎｅｒａｔｉｏｎ；以下、ステップ４Ｇとする）通信システムでは、約１００Ｍｂｐｓの送信速度を有する多様なサービスをユーザに提供するための研究及び商用化が進められている。特に、現在４Ｇ通信システムでは、無線近距離通信ネットワーク（Ｌｏｃａｌ  Ａｒｅａ  Ｎｅｔｗｏｒｋ；以下、ＬＡＮとする）システム及び無線メトロポリタンエリアネットワーク（Ｍｅｔｒｏｐｏｌｉｔａｎ  Ａｒｅａ  Ｎｅｔｗｏｒｋ；以下、ＭＡＮとする）システムのような広帯域無線アクセス（Ｂｒｏａｄｂａｎｄ  Ｗｉｒｅｌｅｓｓ  Ａｃｃｅｓｓ；ＢＷＡ）通信システムに移動性とサービス品質（ＱｏＳ；Ｑｕａｌｉｔｙ  ｏｆ  Ｓｅｒｖｉｃｅ）とを保証する形態で高速サービスを支援するようにする研究が盛んに行われており、その代表的な通信システムがＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６通信システムである。
【０００３】
前記ＩＥＥＥ  ８０２．１６通信システム規格によれば、端末（Ｍｏｂｉｌｅ  Ｓｔａｔｉｏｎ）は、一定時間の間に送受信するトラフィックが存在しない場合、アイドルモード（ｉｄｌｅ  ｍｏｄｅ）で動作して電力消費を最小化する。すなわち、前記端末は、送受信するトラフィック（ｔｒａｆｆｉｃ）がない場合、アイドルモードで動作するために、現在通信を行っているサービング基地局に登録解除要請（Ｄｅ−ｒｅｇｉｓｔｒａｔｉｏｎ  ｒｅｑｕｅｓｔ、以下、ＤＲＥＧ−ＲＥＱとする）メッセージを送信する。前記ＤＲＥＧ−ＲＥＱを受信した前記サービング基地局は、登録解除命令（ＤＲＥＧ  ｃｏｍｍａｎｄ、以下、ＤＲＥＧ−ＣＭＤとする）メッセージを前記端末に送信して、アイドルモードへの遷移動作を許諾する。前記ＤＲＥＧ−ＲＥＱメッセージ及びＤＲＥＧ−ＣＭＤメッセージにおいて本発明と直接的な関連のない部分については、その詳細な説明を省略することとする。
【０００４】
前記ＤＲＥＧ−ＣＭＤメッセージは、ページング情報ＴＬＶ（Ｐａｇｉｎｇ  Ｉｎｆｏｒｍａｔｉｏｎ  ＴＬＶ（Ｔｙｐｅ／Ｌｅｎｇｔｈ／Ｖａｌｕｅ））フィールドを含む。前記ページング情報ＴＬＶフィールドは、ページンググループ識別子（Ｐａｇｉｎｇ  Ｇｒｏｕｐ  Ｉｄｅｎｔｉｆｉｅｒ）、ページング周期（ｐａｇｉｎｇ  ｃｙｃｌｅ）及びページングオフセット（ｐａｇｉｎｇ  ｏｆｆｓｅｔ）パラメータを含む。
【０００５】
前記ページンググループ識別子は、ページンググループを識別する識別子であって、前記ページンググループは、複数のセルからなる。前記ページング周期パラメータは、前記端末が要請したページング周期要求（ｐａｇｉｎｇ  ｃｙｃｌｅ  ｒｅｑｕｅｓｔ）を参照して決定される呼び出し周期である。前記ページングオフセットパラメータは、フレーム番号と前記ページング周期パラメータとを利用して、特定端末を呼び出しできる時点を決定する際に用いられるパラメータである。
【０００６】
現在、ＩＥＥＥ  ８０２．１６ｅ規格にアイドルモード動作手順が定義されており、前記ＩＥＥＥ  ８０２．１６ｅ規格に定義されたアイドルモード動作手順は、前記ＩＥＥＥ  ８０２．１６ｅシステムの進化したバージョンであるＩＥＥＥ  ８０２．１６ｍシステムにも適用されることができる。ここで、ＩＥＥＥ  ８０２．１６ｅ標準とＩＥＥＥ  ８０２．１６ｍ標準を利用するシステムをそれぞれＩＥＥＥ  ８０２．１６ｅシステムとＩＥＥＥ  ８０２．１６ｍシステムと呼ぶ。しかしながら、フレーム（ｆｒａｍｅ）単位で動作するＩＥＥＥ  ８０２．１６ｅシステムとは異なり、前記ＩＥＥＥ  ８０２．１６ｍシステムは、複数のフレームから構成されるスーパーフレーム（ｓｕｐｅｒｆｒａｍｅ）単位で運用しており、前記スーパーフレームを基本単位とするシステム放送チャネル（ＢＣＨ）情報が送信される。したがって、前記ＩＥＥＥ  ８０２．１６ｍシステムでは、前記スーパーフレームを考慮したアイドルモード動作を適用する必要がある。
【０００７】
また、前記ＩＥＥＥ  ８０２．１６ｅシステムでは、ページンググループ識別子情報がＭＯＢ＿ＰＡＧ−ＡＤＶメッセージに含まれるので、ページング聴取区間（ｐａｇｉｎｇ  ｌｉｓｔｅｎｉｎｇ  ｉｎｔｅｒｖａｌ）にページングする対象がない場合にも、ＭＯＢ＿ＰＡＧ−ＡＤＶメッセージを送信する必要がない場合にも、前記ページンググループ識別子情報を端末に知らせるためには、前記ページング聴取区間で常に前記ＭＯＢ＿ＰＡＧ−ＡＤＶメッセージが送信される。前記ＭＯＢ＿ＰＡＧ−ＡＤＶメッセージは、強固（ｒｏｂｕｓｔ）にコーディングされて送信されるメッセージであるという点を考慮すれば、前記ページンググループ識別子を知らせるために前記ＭＯＢ＿ＰＡＧ−ＡＤＶメッセージを送信することは、オーバーヘッドになりうる。したがって、前記ＭＯＢ＿ＰＡＧ−ＡＤＶメッセージとページンググループ識別子とを送信する信号を分離する必要がある。
【発明の概要】
【発明が解決しようとする課題】
【０００８】
本発明の目的は、上記のような問題又は短所を目的を解決するためのもので、少なくとも以下に説明された長所を提供するものである。
【０００９】
したがって、本発明の目的は、無線通信システムにおいて、特にスーパーフレームを導入したＩＥＥＥ  ８０２．１６ｍシステムにおける端末のアイドルモード動作を支援する方法及び装置を提供することにある。
【００１０】
本発明の他の目的は、無線通信システムにおけるアイドルモードにある端末の電力消費を最小化しつつページングオーバーヘッドを減らすための方法及び装置を提供することにある。
【課題を解決するための手段】
【００１１】
上記の目的を達成すべく、本発明の第１態様によれば、スーパーフレーム（ｓｕｐｅｒｆｒａｍｅ）構造を基盤とする無線通信システムにおけるアイドルモード（ｉｄｌｅ  ｍｏｄｅ）を支援するための端末の動作方法であって、放送チャネル情報送信区間に基づいてページング聴取区間（ｐａｇｉｎｇ  ｌｉｓｔｅｎｉｎｇ  ｉｎｔｅｒｖａｌ）を決定する過程と、前記ページング聴取区間の間にページング情報を含んだ放送チャネル情報を受信する過程と、前記放送チャネル情報に基づいてページング広告メッセージ（ＭＯＢ＿ＰＡＧ＿ＡＤＶ）が含まれているか否かを確認する過程とを含むことを特徴とする。
【００１２】
上記の目的を達成すべく、本発明の第２態様によれば、スーパーフレーム構造を基盤とする無線通信システムにおけるアイドルモードを支援するための基地局の動作方法であって、該当端末に対してページング広告メッセージ（ＭＯＢ＿ＰＡＧ＿ＡＤＶ）の送信が必要であるか否かを判断する過程と、放送チャネル情報送信区間に基づいて決定されたページング聴取区間に少なくとも一つ以上の第１フレームを介して前記ページング広告メッセージの送信の有無を知らせるページング指示子を含んだ放送チャネル情報を送信する過程と、前記ページング聴取区間に少なくとも一つ以上の第２フレームを介して前記ページング広告メッセージを送信する過程とを含むことを特徴とする。
【００１３】
上記の目的を達成すべく、本発明の第３態様によれば、無線通信システムにおけるアイドルモードで付加的システム情報及び隣接基地局広告メッセージを処理する端末の動作方法であって、ページング聴取区間に進入してシステム情報指示メッセージを受信する過程と、前記システム情報指示メッセージから付加的システム情報及び隣接基地局広告メッセージの変更があるか否かを決定する過程と、前記付加的システム情報及び前記隣接基地局広告メッセージの送信時点を確認して、該当時点に受信する過程とを含むことを特徴とする。
【００１４】
上記の目的を達成すべく、本発明の第４態様によれば、無線通信システムにおけるアイドルモードで付加的システム情報及び隣接基地局広告メッセージを処理する端末の動作方法であって、ページング聴取区間に進入して放送チャネルを受信して、システム情報指示メッセージがあるか否かを判断する過程と、前記システム情報指示メッセージがあるとき、システム情報指示メッセージを受信する過程と、前記システム情報指示メッセージから前記付加的システム情報及び前記隣接基地局広告メッセージの変更があるか否かを判断する過程と、前記変更があるとき、前記付加的システム情報及び前記隣接基地局広告メッセージの送信時点を確認して、該当時点に受信する過程とを含むことを特徴とする。
【００１５】
上記の目的を達成すべく、本発明の第５態様によれば、無線通信システムにおけるページング情報を受信するための方法であって、複数のフレームから構成される該当スーパーフレーム内で、ページング送信のための少なくとも一つ以上のフレームが既決定されるとき、前記ページング送信のためのフレームでマップ情報をデコードする過程と、前記ページング情報のためのマップ情報を利用して、前記ページング送信のためのフレームでページング情報の位置を確認する過程とを含むことを特徴とする。
【００１６】
上記の目的を達成すべく、本発明の第６態様によれば、無線通信システムにおけるページング情報を受信するための方法であって、複数のフレームから構成される該当スーパーフレーム内で、ページングメッセージが送信される開始位置が決定されているとき、前記ページングメッセージのバーストサイズ及びメッセージタイプ情報を確認する過程と、前記ページングメッセージのバーストサイズ及びメッセージタイプ情報を利用して、該当ページングメッセージが送信される開始位置で、ページングメッセージをデコードする過程とを含むことを特徴とする。
【００１７】
上記の目的を達成すべく、本発明の第７態様によれば、スーパーフレーム（ｓｕｐｅｒｆｒａｍｅ）構造を基盤とする無線通信システムにおけるアイドルモード（ｉｄｌｅ  ｍｏｄｅ）を支援するための端末機であって、放送チャネル情報送信区間に基づいてページング聴取区間（ｐａｇｉｎｇ  ｌｉｓｔｅｎｉｎｇ  ｉｎｔｅｒｖａｌ）を決定するアイドルモード制御器と、前記ページング聴取区間の間にページング情報を含んだ放送チャネル情報を受信し、前記放送チャネル情報に基づいてページング広告メッセージ（ＭＯＢ＿ＰＡＧ＿ＡＤＶ）が含まれているか否かを確認するページング制御器とを備えることを特徴とする。
【００１８】
上記の目的を達成すべく、本発明の第８態様によれば、スーパーフレーム構造を基盤とする無線通信システムにおけるアイドルモードを支援するための基地局であって、該当端末に対してページング広告メッセージ（ＭＯＢ＿ＰＡＧ＿ＡＤＶ）の送信が必要であるか否かを判断し、放送チャネル情報送信区間に基づいて決定されたページング聴取区間に少なくとも一つ以上の第１フレームを介して前記ページング広告メッセージの送信の有無を知らせるページング指示子を含んだ放送チャネル情報を送信し、前記ページング聴取区間に少なくとも一つ以上の第２フレームを介して前記ページング広告メッセージを送信する制御部を備えることを特徴とする。
【００１９】
上記の目的を達成すべく、本発明の第９態様によれば、無線通信システムにおけるアイドルモードで付加的システム情報及び隣接基地局広告メッセージを処理する端末機であって、ページング聴取区間に進入してシステム情報指示メッセージを受信し、前記システム情報指示メッセージから付加的システム情報及び隣接基地局広告メッセージの変更があるか否かを決定し、前記付加的システム情報及び前記隣接基地局広告メッセージの送信時点を確認して、該当時点に受信する制御部を備えることを特徴とする。
【００２０】
上記の目的を達成すべく、本発明の第１０態様によれば、無線通信システムにおけるアイドルモードで付加的システム情報及び隣接基地局広告メッセージを処理する端末機であって、ページング聴取区間に進入して放送チャネルを受信して、システム情報指示メッセージがあるか否かを判断し、前記システム情報指示メッセージがあるとき、システム情報指示メッセージを受信し、前記システム情報指示メッセージから前記付加的システム情報及び前記隣接基地局広告メッセージの変更があるか否かを判断し、前記変更があるとき、前記付加的システム情報及び前記隣接基地局広告メッセージの送信時点を確認して、該当時点に受信する制御部を備えることを特徴とする。
【図面の簡単な説明】
【００２１】
【図１】本発明の実施の形態に係るページング関連パラメータ情報の利用を示す図である。
【図２】本発明の実施の形態に係る無線通信システムの基地局におけるアイドルモード動作に必要なパラメータ決定のためのフローチャートである。
【図３】本発明の実施の形態に係る無線通信システムにおけるアイドルモードでのページングのための端末動作フローチャートである。
【図４】本発明の実施の形態に係る無線通信システムにおけるアイドルモードでのページングのための基地局の動作フローチャートである。
【図５】本発明の実施の形態に係る無線通信システムにおけるアイドルモードでのページングのための装置図である。
【図６】本発明の実施の形態に係る無線通信システムにおけるアイドルモードでシステム情報及び隣接基地局放送メッセージを処理する端末動作フローチャートである。
【図７】本発明の他の実施の形態に係る無線通信システムにおけるアイドルモードでシステム情報及び隣接基地局放送メッセージを処理する端末動作フローチャートである。
【発明を実施するための形態】
【００２２】
以下、本発明の好ましい実施の形態を添付した図面を参照して詳細に説明する。そして、本発明を説明するに当たって、関連した公知の機能又は構成についての具体的な説明が本発明の要旨を不明確にする恐れがあると判断される場合には、その詳細な説明を省略する。そして、後述する用語は、本発明での機能を考慮して定義された用語であり、これは、ユーザー、操作者の意図又は慣例などによって変わりうる。したがって、その定義は、本明細書全般にわたる内容に基づいて行わなければならない。
【００２３】
以下に説明するように、本発明は、無線通信システムにおいてスーパーフレーム（ｓｕｐｅｒｆｒａｍｅ）を適用したシステム（例：ＩＥＥＥ  ８０２．１６ｍシステム）における端末のアイドルモード（ｉｄｌｅ  ｍｏｄｅ）を支援する方法、並びにページングオーバーヘッドを減らすための方法及び装置を提供する。これにより、本発明の実施の形態では、アイドルモードにある端末のページング動作に必要なページング周期（ｐａｇｉｎｇ  ｃｙｃｌｅ）、ページングオフセット（ｐａｇｉｎｇ  ｏｆｆｓｅｔ）及びページング聴取区間（ｐａｇｉｎｇ  ｌｉｓｔｅｎｉｎｇ  ｉｎｔｅｒｖａｌ）を定義し、前記端末がページング聴取区間に該当するスーパーフレーム（ｓｕｐｅｒｆｒａｍｅ）でページンググループ識別子、ページング指示子及び一次放送チャネル（Ｐｒｉｍａｒｙ  Ｂｒｏａｄｃａｓｔ  ＣＨａｎｎｅｌ：以下、Ｐ−ＢＣＨとする）情報変更カウンタを受信する動作を提案する。
【００２４】
図１は、本発明の実施の形態に係るページング関連パラメータ情報の利用を示す図である。
前記図１に示すように、前記ページング関連パラメータ情報は、ページング周期（ｐａｇｉｎｇ  ｃｙｃｌｅ）１００とページングオフセット（ｐａｇｉｎｇ  ｏｆｆｓｅｔ）１２０と、ページング聴取区間（ｐａｇｉｎｇ  ｌｉｓｔｅｎｉｎｇ  ｉｎｔｅｒｖａｌ）１３０を含む。前記ページング周期１００は、Ｐ−ＢＣＨ情報送信区間（ｉｎｔｅｒｖａｌ  ｏｆ  Ｐ−ＢＣＨ）１１０の整数倍（Ｌ）に該当するスーパーフレーム（ｓｕｐｅｒｆｒａｍｅ）の長さを有する。ここで、前記Ｐ−ＢＣＨ情報送信区間１１０は、端末がシステムにおいて通信サービスを行うために必要な情報のうち、Ｐ−ＢＣＨ情報を受信するのに必要な時間を意味し、前記図１の例において前記Ｐ−ＢＣＨ情報送信区間１１０は、ｎ個のスーパーフレーム（ＳＦ１（１１１）、ＳＦ２（１１３）、…、ＳＦｎ（１１５））から構成される。したがって、前記Ｐ−ＢＣＨ情報は、一つ又はそれ以上のスーパーフレームに分けられて送信されるので、前記端末が前記Ｐ−ＢＣＨ情報を受信するためには、前記Ｐ−ＢＣＨ情報送信区間１１０に相当する時間が必要となる。前記ページングオフセット１２０は、前記端末が前記ページング周期１００におけるページング聴取区間１３０の開始時点まで待機する時間であり、前記ページングオフセット１２０は、前記Ｐ−ＢＣＨ情報送信区間１１０と同じ長さを有するように設定される。前記ページング周期１００及び前記ページングオフセット１２０の長さを前記一次放送チャネル情報送信区間（Ｐ−ＢＣＨ情報送信区間）１１０を基準に設定することによって、前記Ｐ−ＢＣＨ情報を予め確保していない端末が前記Ｐ−ＢＣＨ情報を受信するのに待機する時間を最適化することができる。すなわち、前記端末が前記Ｐ−ＢＣＨ情報を予め有していない場合には、前記システムに接続するために前記Ｐ−ＢＣＨ情報を別途に受信しなければならないので、前記端末がＰ−ＢＣＨ情報送信区間（ｉｎｔｅｒｖａｌ  ｏｆ  Ｐ−ＢＣＨ）１１０の途中でアウェイク（ａｗａｋｅ）状態になった場合、次回のＰ−ＢＣＨ情報送信区間（ｉｎｔｅｒｖａｌ  ｏｆ  Ｐ−ＢＣＨ）１１０が始まる時点まで待機し、その以後に前記一次放送チャネル（Ｐ−ＢＣＨ）情報を受信する場合が発生できる。したがって、前記端末のアウェイク時点、すなわち、ページングオフセット１２０を前記Ｐ−ＢＣＨ情報送信区間１１０の開始点と一致させることによって、前記端末が前記Ｐ−ＢＣＨ情報を別途に受信する場合にも前記待機時間を最小化できる。
【００２５】
又は、必要によって前記ページングオフセット１２０は、前記Ｐ−ＢＣＨ情報送信区間１１０の２分の１倍区間、３分の１倍区間、又は４分の１倍区間に設定されることもでき、前記ページングオフセット１２０値は、前記端末がアイドルモードに進入するために基地局と交換するＤＲＥＧ−ＲＥＱ／ＣＭＤメッセージを介して獲得できる。
【００２６】
前記ページング聴取区間１３０は、一つ又はそれ以上のスーパーフレーム内に存在し、前記ページング聴取区間１３０の長さは、一つ又はそれ以上のフレームの長さを有することができる。前記ページング聴取区間１３０で、前記端末は、前記基地局からページング広告メッセージ（ＭＯＢ＿ＰＡＧ−ＡＤＶ）１５０を受信することができて、前記ページング広告メッセージを介して前記端末のネットワーク進入又は位置更新手順を指示できる。また、前記ページング聴取区間１３０に該当するスーパーフレームから送信される放送チャネル１４０情報は、前記ページング広告メッセージ１５０が前記ページング聴取区間１３０内に存在しているか否かを知らせるページング指示子（ｐａｇｉｎｇ  ｉｎｄｉｃａｔｏｒ）１４１と、ページンググループ情報を知らせるページンググループ識別子（ｐａｇｉｎｇ  ｇｒｏｕｐ  ＩＤ）１４３と、前記Ｐ−ＢＣＨ情報の変更を知らせる情報変更カウンタ（ＣＣＣ  ｆｏｒ  Ｐ−ＢＣＨ）１４５などを含む。前記ページング指示子１４１と、ページンググループ識別子１４３と、情報変更カウンタ１４５を含む前記放送チャネル（以下、ＢＣＨとする）１４０は、毎スーパーフレーム（ｓｕｐｅｒｆｒａｍｅ）ごとに送信される補助放送チャネル（Ｓｅｃｏｎｄａｒｙ  Ｂｒｏａｄｃａｓｔ  ｃｈａｎｎｅｌ、以下、Ｓ−ＢＣＨとする）であるか、又は一つ若しくはそれ以上のスーパーフレームにかけて送信されるＰ−ＢＣＨ又は別途の放送チャネルに該当できる。
【００２７】
ここで、前記ページング指示子１４１は、１ビットで表現され、前記ページング聴取区間１３０で少なくとも一つのページング広告メッセージが送信されているか否かを知らせる。すなわち、前記ページング指示子１４１のビット値が０である場合には、前記ページング聴取区間１３０でページング広告メッセージが送信されないことを知らせ、ビット値が１である場合には、前記ページング聴取区間１３０でページング広告メッセージが少なくても一回は送信されることを知らせる。又は、前記ページング指示子１４１は、上記のようにページング聴取区間１３０内のページング広告メッセージの存在の有無を知らせること以外に、前記ページング聴取区間１３０の長さを知らせる目的として用いられることができる。このとき、前記ページング指示子１４１は、３ビットで表現され、前記３ビットのうち、第１番目のビットは、ページング広告メッセージの存在の有無を知らせる目的として用い、残りの二ビットは、ページング聴取区間１３０の長さを知らせる目的として用いることができる。例えば、前記ページング指示子１４１の第１番目のビットが０である場合には、ページング広告メッセージが存在しないことを表し、残りの二ビットは、常に００に設定されなければならない。仮に、前記ページング指示子１４１の第１番目のビットが１である場合には、ページング広告メッセージが存在することを表し、残りの二ビットは、前記ページング広告メッセージが送信されるページング聴取区間１３０の長さを表すことができる。例えば、前記ページング指示子１４１の第１番目のビットが１で、残りの二ビットが００に設定された場合には、前記ページング聴取区間１３０が１フレームであることを表し、前記ページング指示子１４１の第１番目のビットが１で、残りの二ビットが１０に設定された場合には、前記ページング聴取区間１３０の長さが３フレームであることを表すことができる。
【００２８】
前記ページンググループ識別子１４３は、基地局が管理するページンググループの情報を表し、端末は、前記ページンググループ識別子１４３の情報を受信することによって、前記端末がページンググループを変更したか否かを判断できる。前記端末は、アイドルモードに遷移する際、基地局から受信するＤＲＥＧ−ＣＭＤメッセージを介して前記端末が含まれたページンググループ識別子を感知するようになる。アイドルモードにある端末がページング聴取区間１３０で受信するページンググループ識別子１４３が、前記ＤＲＥＧ−ＣＭＤメッセージに含まれたページンググループ識別子と相異なる場合には、前記端末は、位置更新（ｌｏｃａｔｉｏｎ  ｕｐｄａｔｅ）を行うことによって、前記端末が現在位置しているページンググループに対応するページング関連情報を獲得しなければならない。
【００２９】
ここで、前記ページング指示子と前記ページンググループ識別子とは、複数のスーパーフレームにわたって送信されるＰ−ＢＣＨを介して送信されることができるが、他の実施の形態では、前記ページング指示子は、毎スーパーフレームごとに送信されるＳ−ＢＣＨに送信され、前記ページンググループ識別子は、前記Ｐ−ＢＣＨ又はＳ−ＢＣＨでない別途の放送チャネルを介して送信されることができる。前記ページング指示子が毎スーパーフレームごとに送信されるＳ−ＢＣＨを通じて送信される場合、前記ページング指示子は、ページング聴取区間に関係なく毎スーパーフレームごとに送信される。ページング聴取区間で前記ページング指示子と前記ページンググループ識別子とを処理する端末の動作は、前記図３にて説明したことと同様である。前記ページンググループ識別子がページング聴取区間で別途の放送チャネルを介して送信される場合に、前記ページンググループ識別子を含むページング制御情報放送チャネルは、下記の表１又は表２の構造を有することができる。
【００３０】
【表１】
2011522499.tif 000003
【００３１】
前記表１を参照すれば、前記ページング制御情報放送チャネルは、一般的な制御メッセージが有するメッセージタイプ情報を含む。前記メッセージタイプ情報は、制御メッセージがページング制御情報であることを表す。前記ページング制御情報放送チャネルは、ページンググループ識別子を含む。
【００３２】
前記ページンググループ識別子を含むページング制御情報放送チャネルは、下記の表２のようなマップＩＥ(Information Element)の形態で送信されることができる。
【００３３】
【表２】
2011522499.tif 000004
【００３４】
前記表２を参照すれば、前記ページング制御情報放送チャネルは、一般的なマップＩＥが含むタイプ及び長さ情報を含む。前記タイプは、前記マップＩＥがページング制御情報に該当することを表し、前記長さ情報は、前記マップＩＥの長さ情報を表す。前記タイプ及び長さ情報フィールドは、マップＩＥの構造によって変更されうる。前記ページング制御情報放送チャネルは、ページンググループ識別子を含む。
【００３５】
前記表１又は表２の構造を有するページング制御情報放送チャネルは、アイドルモードに属した端末のためのアイドルモードマルチキャスト識別子又はブロードキャスト識別子を利用して送信する。前記ページング制御情報は、ページング聴取区間でＰ−ＢＣＨ又はＳ−ＢＣＨを含むスーパーフレームヘッダと同じサブフレーム又はその次のサブフレームから送信される（一つのフレームは、多数のサブフレームから構成されていると仮定する。したがって、Ｐ−ＢＣＨ又はＳ−ＢＣＨを含むスーパーフレームヘッダがｍフレームのｎ番目のサブフレームに位置すると、前記ページング制御情報は、ｍフレームのｎ番目のサブフレーム又はｎ＋１番目のサブフレームを介して送信される）。前記ページング制御情報がページング聴取区間でＰ−ＢＣＨ又はＳ−ＢＣＨを含むスーパーフレームヘッダと同じサブフレーム又はその次のサブフレームで送信されることができない場合には、前記スーパーフレームヘッダと同じフレームで送信されなければならない。
【００３６】
次に、ページング指示子とページンググループ識別子とがＰ−ＢＣＨ又はＳ−ＢＣＨでない別途の放送チャネルを介して送信される場合、前記ページング指示子とページンググループ識別子とを含む前記放送チャネルに該当するページング制御情報について説明する。
【００３７】
前記ページング指示子とページンググループ識別子とを含む前記ページング制御情報は、マップＩＥの形態で送信されることができる。このとき、前記マップＩＥは、アイドルモードに属した端末のためのアイドルモードマルチキャスト識別子又はブロードキャスト識別子を利用して送信する。前記マップＩＥの形態で送信されるページング制御情報放送チャネルの構造は、下記の表３に示したとおりである。
【００３８】
【表３】
2011522499.tif 000005
【００３９】
前記表３を参照すれば、前記ページング制御情報放送チャネルは、一般的なマップＩＥが含まなければならないタイプ及び長さ情報を含む。前記タイプは、前記マップＩＥがページング制御情報に該当することを表し、前記長さ情報は、前記マップＩＥの長さ情報を表す。前記タイプ及び長さ情報フィールドは、マップＩＥの構造によって変更されうる。前記ページング制御情報放送チャネルは、ページンググループ識別子と前記ページンググループに属した端末に対するページング広告メッセージがページング聴取区間で送信されているか否かを表すページング指示子情報を含む。
【００４０】
前記表３の構造を有するページング制御情報放送チャネルは、Ｐ−ＢＣＨ又はＳ−ＢＣＨが送信されるスーパーフレームヘッダと同じサブフレーム又はその次のサブフレームで送信される。前記表３の構造を有するページング制御情報放送チャネルを受信した端末は、自身が属したページンググループ識別子が含まれているかをチェックし、前記自身が属したページンググループ識別子が含まれていると、ページング指示子フィールドから前記ページンググループに対してページング広告メッセージが送信されているか否かを判断する。前記ページンググループ識別子及びページング指示子を処理する端末の動作は、前記図３にて説明したものと同様である。
【００４１】
前記ページング制御情報放送チャネルは、一般的な制御メッセージの構造を有し、前記一般的な制御メッセージの構造を有するページング制御情報放送チャネルは、アイドルモードにある端末のためのアイドルモードマルチキャスト識別子又はブロードキャスト識別子を利用して送信される。前記一般的な制御メッセージの構造を有するページング情報放送チャネルは、下記の表４又は表５の構造を有することができる。
【００４２】
【表４】
2011522499.tif 000006
【００４３】
前記表４を参照すれば、前記ページング制御情報放送チャネルは、一般的な制御メッセージが有するメッセージタイプ情報を含む。前記メッセージタイプ情報は、制御メッセージがページング制御情報であることを表す。前記ページング制御情報放送チャネルは、ページンググループ識別子と前記ページンググループに属した端末に対するページング広告メッセージがページング聴取区間で送信されているか否かを表すページング指示子を含む。前記ページンググループ識別子とページング指示子とを処理する端末の動作は、前記図３にて説明したものと同様である。
【００４４】
前記ページンググループに対してページング広告メッセージが送信される場合、前記ページング制御情報放送チャネルは、前記ページング広告メッセージが送信される時点に関する情報を含むこともできる。前記ページング広告メッセージが送信される時点に関する情報を含むページング制御情報放送チャネルは、次の表５の構造を有する。
【００４５】
【表５】
2011522499.tif 000007
【００４６】
前記表５を参照すれば、前記ページング制御情報放送チャネルは、一般的な制御メッセージが有するメッセージタイプ情報を含む。前記メッセージタイプ情報は、制御メッセージがページング制御情報であることを表す。前記ページング制御情報放送チャネルは、ページンググループ識別子と前記ページンググループに属した端末のためのページング広告メッセージがページング聴取区間から送信されているか否かを表すページング指示子を含む。前記ページンググループ識別子とページング指示子とを処理する端末の動作は、前記図３にて説明したものと同様である。また、前記ページング制御情報放送チャネルは、ページング広告メッセージの送信時点情報を含む。前記ページング広告メッセージの送信時点情報は、ページング制御情報放送チャネルが送信されるサブフレームからページング広告メッセージが送信されるサブフレームまでかかる時間を表す。このとき、アップリンクサブフレームは除外する。例えば、前記ページング広告メッセージの送信時点フィールド値が０である場合には、前記ページング制御情報放送チャネルと同じサブフレームで前記ページング広告メッセージが送信されることを表し、前記ページング広告メッセージの送信時点フィールド値が１である場合には、それは、前記ページング制御情報放送チャネルが送信されるサブフレームの次のサブフレームで前記ページング広告メッセージが送信されることを表す。他の例としては、一フレームが５個のダウンリンクサブフレームと３個のアップリンクサブフレームとから構成されており、前記ページング制御情報放送チャネルが前記第２番目のサブフレームで受信され、前記ページング広告メッセージの送信時点フィールド値が４である場合には、それは、前記ページング広告メッセージが次のフレームの第１番目のサブフレームで送信されることを表す。前記ページング広告メッセージの送信時点情報は、ページング制御情報放送チャネルの受信以後からページング広告メッセージを受信するまで端末が不必要に受信又は処理する情報を最小化できる。
【００４７】
【表６】
2011522499.tif 000008
【００４８】
前記表６を参照すれば、前記ページング制御情報放送チャネルは、ページンググループＩＤと該当ページンググループのＭＯＢ＿ＰＡＧ−ＡＤＶメッセージの送信時点情報を含む。前記ＭＯＢ＿ＰＡＧ−ＡＤＶメッセージの送信時点情報は、前記ページング制御情報放送チャネルを送信するサブフレームから、ページング聴取区間において前記ページンググループの端末をターゲットとしてＭＯＢ＿ＰＡＧ−ＡＤＶメッセージを送信するサブフレームまでの時間である。ここで、アップリンクサブフレームは排除する。例えば、万一、ページンググループＩＤが「１」で、ＭＯＢ＿ＰＡＧ−ＡＤＶメッセージの送信時点のフィールド値が「０」であると、これは、ページンググループ「１」の端末を含むＰＡＧ−ＡＤＶメッセージがページング制御情報放送チャネルのような同じサブフレームに送信されるのを表す。万一、ページンググループＩＤが「１」で、ＭＯＢ＿ＰＡＧ−ＡＤＶメッセージの送信時点のフィールド値が「１」であると、これは、ページンググループ「１」の端末を含むＰＡＧ−ＡＤＶメッセージがページング制御情報放送チャネルを送信するサブフレームが次のフレーム（ｎｅｘｔ  ｓｕｂｆｒａｍｅ）に送信されることを表す。ページンググループのある端末がページング聴取区間においてページングターゲットでない場合、ページンググループのＭＯＢ＿ＰＡＧ−ＡＤＶメッセージの送信時点フィールド値は、最大値に設定される（例えば、フィールドのサイズが８ビットである場合、最大値は、２５５となる）。
【００４９】
前記表３、表４、又は表５の構造を有するページング制御情報は、ページング聴取区間においてＰ−ＢＣＨ又はＳ−ＢＣＨを含むスーパーフレームヘッダと同じサブフレーム又はその次のサブフレームで送信される。前記ページング制御情報がページング聴取区間においてＰ−ＢＣＨ又はＳ−ＢＣＨを含むスーパーフレームヘッダと同じサブフレーム又はその次のサブフレームで送信されることができない場合には、前記スーパーフレームヘッダと同じフレームで送信されなければならない。
【００５０】
前記Ｐ−ＢＣＨの情報変更カウンタ（ＣＣＣ  ｆｏｒ  Ｐ−ＢＣＨ）１４５は、Ｐ−ＢＣＨ情報の変更の有無を判断するために用いられる。すなわち、基地局は、前記Ｐ−ＢＣＨの情報が変更されるごとに、前記情報変更カウンタ１４５の値を１ずつ増加させ、前記ページング聴取区間１３０においてアウェイク状態になった端末は、前記情報変更カウンタ１４５の値が前記端末が格納している情報変更カウンタ値と相異なる場合に、前記Ｐ−ＢＣＨが変更されたことを認知するようになる。前記Ｐ−ＢＣＨが変更されたことを認知した前記端末は、前記一次システム放送チャネル情報送信区間（Ｉｎｔｅｒｖａｌ  ｏｆ  Ｐ−ＢＣＨ）１１０で前記変更されたＰ−ＢＣＨを受信することができる。前記では、毎スーパーフレームごとに送信されるＳ−ＢＣＨ（Ｓ−ＢＣＨ）又は一つ若しくはいくつかのスーパーフレームにかけて送信されるＰ−ＢＣＨで情報変更カウンタ１４５が送信される場合を説明したが、前記情報変更カウンタ１４５は、毎フレームごとに送信される放送チャネル又は別途の放送チャネル情報を介して提供されることができる。
【００５１】
上述したように、前記ページング指示子、前記ページンググループ識別子、情報変更カウンタ値のうち、一部のみを互いに異なる放送メッセージを介して送信可能である。他の実施の形態では、前記ページング指示子、前記ページンググループ識別子、情報変更カウンタ値が一つの放送メッセージを介して送信されることができる。
【００５２】
図２は、本発明の実施の形態に係る無線通信システムの基地局におけるアイドルモード動作に必要なパラメータ決定のためのフローチャートを示している。
【００５３】
前記図２に示すように、基地局は、ステップ２００にて端末のページング周期１００を、Ｐ−ＢＣＨ情報が送信される周期１１０の整数倍に該当するスーパーフレームになるように決定する。
【００５４】
以後、前記基地局は、ステップ２０２にて前記端末のページングオフセット１２０を、Ｐ−ＢＣＨ送信周期１１０と同じになるように決定する。前記ページングオフセット１２０を前記Ｐ−ＢＣＨ情報送信区間１１０の開始点と一致させることによって、前記端末が前記Ｐ−ＢＣＨ情報を別途に受信しなければならない場合にも、前記待機時間を最小化できる。
【００５５】
本発明の例示的な実施形態によれば、前記ページングオフセット１２０は、スーパーフレームの開始時点又は終わりごとに設定することもでき、前記ページングオフセット１２０の値は、前記端末がアイドルモードに進入するために基地局と交換するＤＲＥＧ−ＲＥＱ／ＣＭＤメッセージを介して獲得されうる。
【００５６】
以後、前記基地局は、ステップ２０４にて、前記端末のページング聴取区間１３０が、一つのスーパーフレームを構成するフレーム個数と同様になるように、又は一つのスーパーフレームを構成する総フレームのうちの一部だけになるように、前記端末のページング聴取区間１３０を決定する。すなわち、前記ページング聴取区間１３０は、一つのスーパーフレーム（ｓｕｐｅｒｆｒａｍｅ）内に存在し、前記ページング聴取区間１３０の長さは、一つ又はそれ以上のフレームになることができる。
【００５７】
以後、前記基地局は、アイドルモード動作に必要なパラメータ決定手順を終了する。
【００５８】
図３は、本発明の実施の形態に係る無線通信システムにおけるアイドルモードでのページングのための端末動作フローチャートを示している。
【００５９】
前記図３に示すように、端末は、ステップ３００にて基地局へＤＲＥＧ−ＲＥＱメッセージを送信し、前記基地局から前記ＤＲＥＧ−ＲＥＱメッセージに対する応答としてＤＲＥＧ−ＣＭＤメッセージを受信する。前記ＤＲＥＧ−ＣＭＤメッセージは、ページング周期とページングオフセット情報とを含む。前記ページング周期において端末は、前記ページングオフセットほど待った後、一定区間のページング聴取区間（ｐａｇｉｎｇ  ｌｉｓｔｅｎｉｎｇ  ｉｎｔｅｒｖａｌ）を有する。前記ページング聴取区間は、前記端末がページング広告（ｐａｇｉｎｇ  ａｄｖｅｒｔｉｓｅｍｅｎｔ、以下、ＭＯＢ＿ＰＡＧ−ＡＤＶとする）メッセージを受信することができる区間である。前記ページング聴取区間は、端末が基地局とダウンリンク同期を取って、前記ＭＯＢ＿ＰＡＧ−ＡＤＶメッセージを復号する時間である。前記ページング聴取区間は、前記図１の詳細な説明を参照することとする。
【００６０】
以後、前記端末は、ステップ３０２にて前記基地局と交渉されたページング周期、ページングオフセット情報に従って、アイドル状態の端末は、アウェイク状態となって、ページング聴取区間に進入する。
【００６１】
以後、前記端末は、ステップ３０４にて前記ページング聴取区間に該当するスーパーフレームで送信されるＢＣＨ情報からページング指示子（ｐａｇｉｎｇ  ｉｎｄｉｃａｔｏｒ）、ページンググループ識別子（ｐａｇｉｎｇ  ｇｒｏｕｐ  ＩＤ）、Ｐ−ＢＣＨ情報変更カウンタ（ＣＣＣ  ｆｏｒ  Ｐ−ＢＣＨ）を受信する。また、ＭＯＢ＿ＰＡＧ−ＡＤＶメッセージがある場合、前記端末は、ページング周期のページング聴取区間でＭＯＢ＿ＰＡＧ−ＡＤＶメッセージを受信する。
【００６２】
以後、前記端末は、ステップ３０６にて、現在の前記ページンググループ識別子が前記端末が知っている前のページンググループと同じであるか否かを判断し、前記同じページンググループであることを認知すると、ステップ３０８に進んで前記Ｐ−ＢＣＨ情報変更カウンタが変更されたか否かを判断する。前記情報変更カウンタ値が変更された場合、前記端末は、ステップ３１０に進んでＰ−ＢＣＨ情報を獲得した後、ステップ３１２に進む。ここで、前記Ｐ−ＢＣＨ情報変更カウンタ値が変更された場合にも、前記端末は、前記ステップ３１０にてＰ−ＢＣＨ情報を獲得しなくても良く、前記端末の運用による。
【００６３】
前記端末は、ステップ３１２に進んで前記ページング指示子がＭＯＢ＿ＰＡＧ−ＡＤＶメッセージの存在を知らせることと設定されているかを判断する。前記ステップ３１２にて前記ＭＯＢ＿ＰＡＧ−ＡＤＶメッセージが存在すると判断すると、ステップ３１４にて前記端末は、前記ページング聴取区間で前記ＭＯＢ＿ＰＡＧ−ＡＤＶメッセージが送信されることを認知し、前記ＭＯＢ＿ＰＡＧ−ＡＤＶメッセージの受信を待機する。
【００６４】
以後、前記端末は、前記ステップ３１６にて受信したＭＯＢ＿ＰＡＧ−ＡＤＶメッセージから前記端末がページング対象であると判断すると、前記端末は、前記ページング聴取区間で受信したＭＯＢ＿ＰＡＧ−ＡＤＶメッセージの情報を利用してネットワーク再進入手順を行うためにステップ３１８に進む。仮に、前記ページング聴取区間で受信したＭＯＢ＿ＰＡＧ−ＡＤＶメッセージのページング対象に前記端末が含まれていないと、前記端末は、ステップ３２０にてアイドル状態に遷移してアイドルモード動作を行い続ける。
【００６５】
仮に、前記端末は、前記ステップ３１２の判断結果、ページング指示子がＭＯＢ＿ＰＡＧ−ＡＤＶメッセージが存在しないと設定されていると、前記端末は、ステップ３２０にて前記ページング聴取区間にＭＯＢ＿ＰＡＧ−ＡＤＶメッセージが送信されないことを認知し、アイドル状態に遷移してアイドルモード動作を行い続ける。
【００６６】
前記ステップ３０６にて前記ページング聴取区間で受信した放送チャネル情報のページンググループ識別子が前記端末が知っているページンググループ識別子と異なる場合、ステップ３２４にて位置アップデートを行うのに必要なＢＣＨ情報を有しているか否かを判断し、必要なＢＣＨ情報を有していれば、ステップ３２８にて位置アップデートを行う。
【００６７】
仮に、必要なＢＣＨ情報を有していないとき、ステップ３２６にて前記位置アップデート手順に必要なＢＣＨ情報を獲得し、以後、ステップ３２８にて前記位置アップデート手順を行う。
【００６８】
ここで、前記端末が位置アップデートを行う条件は、本発明の範囲から逸脱するので、詳細な説明は省略する。
【００６９】
以後、前記端末は、本発明のアルゴリズムを終了する。
【００７０】
前記端末のネットワーク進入又は位置アップデート処理は、前記端末と前記基地局との間のコード基盤のレンジング(ranging)手順と、前記端末が前記基地局にＲＮＧ−ＲＥＱメッセージを送信し、これに対する応答として前記基地局が前記端末にＲＮＧ−ＲＳＰメッセージを送信する手順とからなる。
【００７１】
図４は、本発明の実施の形態に係る無線通信システムにおけるアイドルモードでのページングのための基地局の動作フローチャートを示している。
【００７２】
前記図４に示すように、基地局は、ステップ４００にて端末にＤＲＥＧ−ＲＥＱメッセージを受信し、前記端末からの前記ＤＲＥＧ−ＲＥＱメッセージに対する応答としてＤＲＥＧ−ＣＭＤメッセージを送信する。
【００７３】
以後、前記基地局は、ステップ４０２にてＭＯＢ＿ＰＡＧ−ＡＤＶメッセージの送信の必要の有無を判断する。
【００７４】
以後、前記基地局は、ステップ４０４に進んで該当スーパーフレーム内に広告メッセージの送信の有無を表すページング指示子を送信する。例えば、前記基地局が該当端末にダウンリンクデータを送信する際、該当端末にＭＯＢ＿ＰＡＧ−ＡＤＶメッセージを送信しなければならず、仮に、送信しなければならないダウンリンクデータがない場合には、ＭＯＢ＿ＰＡＧ−ＡＤＶメッセージを送信する必要がない。
【００７５】
以後、前記基地局は、ステップ４０６にて放送チャネルを介してページンググループ識別子及びＰ−ＢＣＨ情報変更カウンタ値を送信し、ステップ４０８に進んでＭＯＢ＿ＰＡＧ−ＡＤＶメッセージを送信する。
【００７６】
以後、前記基地局は、本発明のアルゴリズムを終了する。
【００７７】
図５は、本発明の実施の形態に係る無線通信システムにおけるアイドルモードでのページングのための基地局又は端末装置を示している。
【００７８】
前記図５に示すように、端末（又は基地局）は、ＲＦ(Radio Frequency)処理器５０１、アナログ／デジタル変換器（Ａｎａｌｏｇ／Ｄｉｇｉｔａｌ  Ｃｏｎｖｅｒｔｏｒ）５０３、ＯＦＤＭ復調器５０５、復号化器５０７、メッセージ処理部５０９、制御部５１１、ページング制御機５１３、アイドルモード制御機５１５、メッセージ生成部５１７、符号化器５１９、ＯＦＤＭ変調器５２１、デジタル／アナログ変換器（Ｄｉｇｉｔａｌ／Ａｎａｌｏｇ  Ｃｏｎｖｅｒｔｏｒ）５２３、ＲＦ処理器５２５、ＴＤＤ(Time Division Duplex)スイッチ５２７、時間制御器５２９を備えて構成される。
【００７９】
まず、前記ＴＤＤスイッチ５２７は、フレーム同期に基づいてスイッチング動作を制御する。例えば、信号を受信する区間では、前記ＴＤＤスイッチ５２７は、アンテナと受信端のＲＦ処理器５０１が接続されるようにスイッチを制御する。また、信号を送信する区間では、前記アンテナと送信端のＲＦ処理器５２５が接続されるようにスイッチを制御する。
【００８０】
受信区間の間に、前記ＲＦ処理器５０１は、アンテナを介して受信されるＲＦ（Ｒａｄｉｏ  Ｆｒｅｑｕｅｎｃｙ）信号をベースバンドアナログ信号に変換する。前記アナログ／デジタル変換器５０３は、前記ＲＦ処理器５０１からのアナログ信号をサンプルデータに変換して出力する。前記ＯＦＤＭ復調器５０５は、前記アナログ／デジタル変換器５０３から出力されるサンプルデータを高速フーリエ変換（Ｆａｓｔ  Ｆｏｕｒｉｅｒ  Ｔｒａｎｓｆｏｒｍ）して周波数領域のデータを出力する。前記復号化器５０７は、前記ＯＦＤＭ復調器５０５から提供された周波数領域のデータから受信しようとする所望の副搬送波のデータを選択し、前記選択されたデータを予め決まった変調符号化水準（ＭＣＳレベル）に合わせて復調及び復号して出力する。前記メッセージ処理部５０９は、前記復号化器５０７から入力される制御メッセージを分析して、その結果を制御部５１１に提供する。
【００８１】
前記制御部５１１は、前記メッセージ処理部５０９から提供された情報に対する該当処理を行い、その結果をメッセージ生成部５１７に提供する。
【００８２】
前記メッセージ生成部５１７は、前記制御部５１１を介して提供された各種情報をもってメッセージを生成して、物理階層の符号化器５１９に出力する。前記符号化器５１９は、前記メッセージ生成部５１７からのデータを予め決まった変調符号化水準（ＭＣＳレベル）に合わせて符号及び変調して出力する。前記ＯＦＤＭ変調器５２１は、前記符号化器５１９からのデータを逆高速フーリエ変換（Ｉｎｖｅｒｓｅ  Ｆａｓｔ  Ｆｏｕｒｉｅｒ  Ｔｒａｎｓｆｏｒｍ）して、サンプルデータ（ＯＦＤＭシンボル）を出力する。前記デジタル／アナログ変換器５２３は、前記サンプルデータをアナログ信号に変換して出力する。前記ＲＦ処理器５２５は、前記デジタル／アナログ変換器５２３からのアナログ信号をＲＦ（Ｒａｄｉｏ  Ｆｒｅｑｕｅｎｃｙ）信号に変換して、アンテナを介して送信する。
【００８３】
端末の動作では、前記アイドルモード制御機５１３は、送受信するデータがないと、基地局にＤＲＥＧ−ＲＥＱメッセージを送信し、前記基地局から前記ＤＲＥＧ−ＲＥＱメッセージに対する応答としてＤＲＥＧ−ＣＭＤメッセージを受信して、アイドルモードに遷移する。
【００８４】
また、前記アイドルモード制御機５１３は、前記ＭＯＢ＿ＰＡＧ−ＡＤＶメッセージが該当スーパーフレームに含まれていないと、アイドルモードに遷移し、前記ＭＯＢ＿ＰＡＧ−ＡＤＶメッセージが該当スーパーフレームに含まれると、ページング対象であるか否かを確認して、ページング対象である場合、ネットワーク進入(network entry operation)を行い、ページング対象ではない場合、アイドルモードに遷移する。また、前記アイドルモード制御機５１３は、前記アイドルモードに遷移するとき、ページング周期、ページングオフセット及びページング聴取区間情報を獲得する。
【００８５】
前記ページング制御機５１３は、前記アイドルモードに遷移した後、ページング聴取区間で放送チャネル情報を受信し、前記放送チャネル情報を利用してシステム情報獲得が必要であるか否かを判断し、前記放送チャネル情報からＭＯＢ＿ＰＡＧ−ＡＤＶメッセージが含まれているか否かを確認する。
【００８６】
前記ページング制御機５１３は、前記アイドルモードで獲得した第１ページンググループ識別子と前記放送チャネルを介して獲得した第２ページンググループ識別子とを比較し、前記第１ページンググループ識別子と前記第２ページンググループ識別子とが同じである場合、前記放送チャネルを介して獲得したスーパーフレーム単位のＰ−ＢＣＨ情報変更カウンタを確認して、前記システム情報獲得が必要であるか否かを判断する。
【００８７】
基地局の動作では、前記アイドルモード制御機５１５は、該当端末をアイドルモードに遷移させる。例えば、前記アイドルモード制御機５１５は、該当端末からＤＲＥＧ−ＲＥＱメッセージを受信し、前記該当端末からの前記ＤＲＥＧ−ＲＥＱメッセージに対する応答としてＤＲＥＧ−ＣＭＤメッセージを送信する。前記制御部５１１は、前記アイドルモードにある端末のためのＭＯＢ＿ＰＡＧ−ＡＤＶメッセージの送信が必要であるか否かを判断し、前記ＭＯＢ＿ＰＡＧ−ＡＤＶメッセージの送信の有無を知らせるページング指示子（ｐａｇｉｎｇ  ｉｎｄｉｃａｔｏｒ）を含む放送チャネル情報を送信する。
【００８８】
本発明において無線通信システムにおけるアイドルモードでシステム情報及び隣接基地局広告メッセージを処理する端末の動作について述べる。
【００８９】
前記制御部５１１は、ページング聴取区間に進入してＰ−ＢＣＨ及びＳ−ＢＣＨのシステム情報を受信し、ブロードキャストシステム情報指示メッセージを受信する。前記ブロードキャストシステム情報指示メッセージは、下記の表６のフォーマット構造を参照する。
【００９０】
そして、前記制御部５１１は、前記ブロードキャストシステム情報指示メッセージに含まれた隣接基地局広告メッセージの情報変更カウント値が、前記端末が格納している隣接基地局広告メッセージの情報変更カウント値と同じであるか否かを判断する。万一、前記隣接基地局広告メッセージの情報変更カウント値が前記端末が知っている値と異なる場合、前記端末は、ステップ６０７に進んで最新の隣接基地局広告メッセージ情報を獲得するために、前記基地局が隣接基地局広告メッセージを送信する時点情報を把握する。以後、前記制御部５１１は、前記隣接基地局広告メッセージの送信時点で前記隣接基地局広告メッセージを受信する。前記隣接基地局広告メッセージの送信時点が前記端末のページング聴取区間である場合には、前記隣接基地局広告メッセージを受信した後にページング非聴取区間に遷移する。仮に、前記隣接基地局広告メッセージの送信時点がページング非聴取区間中にあると、前記端末は、前記ページング非聴取区間からアウェイクして前記隣接基地局広告メッセージを受信し、再度ページング非聴取区間に遷移する。
【００９１】
仮に、前記付加的なシステム制御放送メッセージの送信時点が前記端末のページング非聴取区間に該当すると、前記端末は、ページング非聴取区間に留まり、前記付加的なシステム制御放送メッセージの送信時点でページング非聴取区間からアウェイクして前記付加的なシステム制御放送メッセージを受信した後に、再度ページング非聴取区間に遷移する。
【００９２】
本発明において無線通信システムにおけるアイドルモードでシステム情報及び隣接基地局広告メッセージを処理する端末の他の動作を述べる。
【００９３】
前記制御部５１１は、ページング聴取区間に進入して、基地局が送信するＰ−ＢＣＨとＳ−ＢＣＨとが受信されるスーパーフレームヘッダを受信する。前記Ｓ−ＢＣＨは、前記ページング聴取区間で前記基地局がブロードキャストシステム情報指示メッセージを送信しているか否かを表すブロードキャストシステム情報指示子を含む。
【００９４】
前記制御部５１１は、前記ブロードキャストシステム情報指示子を介して前記ページング聴取区間で前記ブロードキャストシステム情報指示メッセージが送信されているか否かを判断する。判断の結果、前記ブロードキャストシステム情報指示メッセージが送信されている場合、前記端末は、ブロードキャストシステム情報指示メッセージを受信する。
【００９５】
前記図５の構成において、前記制御部５１１は、前記メッセージ処理部５０９、前記メッセージ生成部５１７及び前記ページング制御機５１３、アイドルモード制御機５１５を制御する。すなわち、前記制御部５１１は、前記メッセージ処理部５０９、前記メッセージ生成部５１７及び前記ページング制御機５１３、アイドルモード制御機５１５の機能を行うことができる。本発明においてこれを別途に構成したのは、各機能を区別して説明するためである。したがって、実際に具現化する場合、これらすべてを制御部で処理するように構成でき、または、これらのうち、一部のみを前記制御部で処理するように構成できる。
【００９６】
本発明の例示的な実施形態によれば、前記表１〜前記表５においてページング制御情報を含んでいるか否かを表す指示子を前記Ｓ−ＢＣＨに含めて、前記ページング聴取区間にある端末が前記ページング聴取区間で前記ページング制御情報が送信されることを認知するようにすることができる。また、前記ページング制御情報は、予め決まった位置で送信されることができる。
【００９７】
前記端末がアイドルモードにある場合にも、前記端末は、前記一次放送チャネル（Ｐ−ＢＣＨ）、補助放送チャネル（Ｓ−ＢＣＨ）を介して送信されるシステム情報の他に、他の放送チャネルを利用して送信されるシステム情報又は隣接基地局広告メッセージを受信しなければならない。前記各放送チャネルを利用して受信されるシステム情報又は隣接基地局広告メッセージは、前記端末がページング聴取区間にある途中で送信されることもできるが、前記端末がページング非聴取区間にある途中で送信されることもできる。前記システム情報及び隣接基地局広告メッセージは、前記端末がアイドルモードから外れて一般的な通信モードに進入するのに必要な情報であり、前記システム情報及び隣接基地局広告メッセージから獲得した情報を利用すると、前記端末がアイドルモードから速かに一般的な通信モードに進入できる。したがって、前記アイドルモードにある端末が前記システム情報及び隣接基地局広告メッセージの変更の有無をモニターリングし、前記変更されたシステム情報及び隣接基地局広告メッセージをバッテリー消費を最小化しつつ受信できなければならない。
【００９８】
ここで、前記アイドルモードにある端末が、システム情報及び隣接基地局広告メッセージを受信しなければならないか否かを決定し、前記システム情報又は隣接基地局広告メッセージを受信しなければならない場合、前記情報を受信する時点を認知して前記情報を受信することができる方案を説明する。
【００９９】
図６は、本発明の実施の形態に係る無線通信システムにおけるアイドルモードでシステム情報及び隣接基地局広告メッセージを処理する端末の動作を示している。
【０１００】
前記図６に示すように、端末は、ステップ６０１にてページング聴取区間に進入してＰ−ＢＣＨ及びＳ−ＢＣＨのシステム情報を受信し、ステップ６０３にてブロードキャストシステム情報指示メッセージを受信する。前記ブロードキャストシステム情報指示メッセージは、下記の表７のフォーマット構造を有する。
【０１０１】
【表７】
2011522499.tif 000009
【０１０２】
前記表７を参照すれば、前記ブロードキャストシステム情報指示メッセージは、一般的なマップＩＥが含むタイプ及び長さ情報を含む。前記タイプは、前記マップＩＥがブロードキャストシステム情報指示メッセージに該当することを表し、前記長さ情報は、前記マップＩＥの長さ情報を表す。前記タイプ及び長さ情報フィールドは、マップＩＥの構造によって変更されうる。前記ブロードキャストシステム情報指示メッセージは、基地局が送信する付加的なシステム制御放送メッセージの情報変更カウント（ｃｏｎｆｉｇｕｒａｔｉｏｎ  ｃｈａｎｇｅ  ｃｏｕｎｔ）値と、前記基地局が前記付加的なシステム制御放送メッセージを送信する時点情報と、前記基地局が送信する隣接基地局広告メッセージの情報変更カウント値と、前記基地局が前記隣接基地局広告メッセージを送信する時点情報などを含む。ここで、前記付加的なシステム制御放送メッセージは、ＤＣＤ（Ｄｏｗｎｌｉｎｋ  Ｃｈａｎｎｅｌ  Ｄｅｓｃｒｉｐｔｏｒ）又はＵＣＤ（Ｕｐｌｉｎｋ  Ｃｈａｎｎｅｌ  Ｄｅｓｃｒｉｐｔｏｒ）情報に該当し、前記隣接基地局広告メッセージは、ＭＯＢ＿ＮＢＲ−ＡＤＢメッセージに該当する。
【０１０３】
以後、前記端末は、ステップ６０５にて前記表６のブロードキャストシステム情報指示メッセージに含まれた隣接基地局広告メッセージの情報変更カウント値が、前記端末が格納している隣接基地局広告メッセージの情報変更カウント値と同じであるか否かを判断する。万一、前記隣接基地局広告メッセージの情報変更カウント値が前記端末が知っている値と異なる場合、前記端末は、ステップ６０７に進んで最新の隣接基地局広告メッセージ情報を獲得するために、前記基地局が隣接基地局広告メッセージを送信する時点情報を把握する。
【０１０４】
以後、前記端末は、ステップ６０９にて前記隣接基地局広告メッセージの送信時点で前記隣接基地局広告メッセージを受信する。
【０１０５】
以後、前記端末は、ステップ６１１にて前記隣接基地局広告メッセージの送信時点が前記端末のページング聴取区間である場合には、前記隣接基地局広告メッセージを受信した後にページング非聴取区間に遷移する。仮に、前記隣接基地局広告メッセージの送信時点がページング非聴取区間中にあると、前記端末は、前記ページング非聴取区間からアウェイクして前記隣接基地局広告メッセージを受信し、再度ページング非聴取区間に遷移する。
【０１０６】
万一、前記ステップ６０５にて隣接基地局広告メッセージが変更されないと、前記端末は、ステップ６１３に進む。ステップ６１３において、前記端末は、前記付加的なシステム制御放送メッセージの情報変更カウント値に基づいて、前記端末が有している付加的なシステム制御放送情報と異なるか否かを判断する。
【０１０７】
万一、前記付加的なシステム制御放送メッセージが変更されたことを認知すると、前記端末は、ステップ６１５に進む。ステップ６１５において、前記端末は、前記付加的なシステム制御放送メッセージの送信時点を把握する。
【０１０８】
以後、前記端末は、ステップ６１７にて前記付加的なシステム制御放送メッセージの送信時点で更新された前記付加的なシステム制御放送メッセージを受信する。ここで、前記付加的なシステム制御放送メッセージの送信時点が前記端末のページング聴取区間に該当すると、前記付加的なシステム制御放送メッセージを受信した後に、ページング非聴取区間に遷移する（６１１）。仮に、前記付加的なシステム制御放送メッセージの送信時点が前記端末のページング非聴取区間に該当すると、前記端末は、ページング非聴取区間にとどまり、前記付加的なシステム制御放送メッセージの送信時点でページング非聴取区間からアウェイクして前記付加的なシステム制御放送メッセージを受信した後に、再度たページング非聴取区間に遷移する。
【０１０９】
前記ステップ６０５と前記ステップ６１３の判断により、前記端末が隣接基地局広告メッセージと付加的なシステム制御放送メッセージとを既に有していると、前記端末は、ステップ６１１のページング非聴取区間に遷移すれば良い。
【０１１０】
以後、端末は、本発明のシステム情報及び隣接基地局放送メッセージを処理手順を終了する。
【０１１１】
図７は、本発明の他の実施の形態に係る無線通信システムにおけるアイドルモードでシステム情報及び隣接基地局放送メッセージを処理する端末の動作を示している。
【０１１２】
前記図７に示すように、アイドルモードにある前記端末は、ステップ７０１にてページング聴取区間へ進入し、ステップ７０３にて基地局が送信するＰ−ＢＣＨとＳ−ＢＣＨのためのスーパーフレームヘッダを受信する。前記Ｓ−ＢＣＨは、前記ページング聴取区間で前記基地局がブロードキャストシステム情報指示メッセージを送信するか否かを表すブロードキャストシステム情報指示子を含む。
【０１１３】
以後、前記端末は、ステップ７０５に進んで前記ブロードキャストシステム情報指示子を介して前記ページング聴取区間で前記ブロードキャストシステム情報指示メッセージが送信されるか否かを判断する。前記ステップ７０５での判断の結果、前記ブロードキャストシステム情報指示メッセージが送信される場合、前記端末は、ブロードキャストシステム情報指示メッセージを受信する（７０７）。前記ステップ７０７にて受信する前記ブロードキャストシステム情報指示メッセージは、前記表６の構造を有することができる。
【０１１４】
以後、前記端末は、ステップ７０９にて前記ブロードキャストシステム情報指示メッセージに含まれた隣接基地局広告メッセージの情報変更カウント値が、前記端末が格納している隣接基地局広告メッセージの情報変更カウント値と同じであるか否かを判断する。前記隣接基地局広告メッセージの情報変更カウント値が前記端末が知っている値と異なる場合、ステップ７１１に進んで前記端末は、最新の隣接基地局広告メッセージ情報を獲得するために、前記基地局が隣接基地局広告メッセージを送信する時点情報を把握し、ステップ７１３にて前記隣接基地局広告メッセージの送信時点で前記隣接基地局広告メッセージを受信する。前記隣接基地局広告メッセージの送信時点が前記端末のページング聴取区間である場合には、前記隣接基地局広告メッセージを受信した後に、ページング非聴取区間に遷移する（７１５）。仮に、前記隣接基地局広告メッセージの送信時点がページング非聴取区間中にあると、前記端末は、前記ページング非聴取区間からアウェイクして前記隣接基地局広告メッセージを受信し、再度ページング非聴取区間に遷移する。
【０１１５】
万一、ステップ７０９にて隣接基地局広告メッセージが変更されないと、前記端末はステップ７１７に進む。ステップ７１７において、前記端末は、前記付加的なシステム制御放送メッセージの情報変更カウント値に基づいて、前記端末が有している付加的なシステム制御放送情報と異なるか否かをを判断し、ステップ７１９にて前記付加的なシステム制御放送メッセージが変更されたことを認知すると、前記付加的なシステム制御放送メッセージの送信時点を把握する。前記端末は、ステップ７２１にて前記付加的なシステム制御放送メッセージの送信時点で更新された前記付加的なシステム制御放送メッセージを受信する。前記付加的なシステム制御放送メッセージの送信時点が前記端末のページング聴取区間に該当すると、前記付加的なシステム制御放送メッセージを受信した後に、ページング非聴取区間に遷移する（７１５）。仮に、前記付加的なシステム制御放送メッセージの送信時点が前記端末のページング非聴取区間に該当すると、前記端末は、ページング非聴取区間にとどまり、前記付加的なシステム制御放送メッセージの送信時点でページング非聴取区間からアウェイクして、前記付加的なシステム制御放送メッセージを受信した後に、再度ページング非聴取区間に遷移する。
【０１１６】
前記ステップ７０９と前記ステップ７１７の判断により、前記端末が隣接基地局広告メッセージと付加的なシステム制御放送メッセージとを既に有していると、前記端末は、ステップ７１５のページング非聴取区間に遷移すれば良い。
【０１１７】
また、前記ステップ７０５の判断により、前記Ｓ−ＢＣＨで送信される前記ブロードキャストシステム情報指示子が前記ページング聴取区間で前記ブロードキャストシステム情報指示メッセージが送信されないことを指示すると、前記ブロードキャストシステム情報指示メッセージを受信する必要無しでステップ７１５のページング非聴取区間に遷移する。
【０１１８】
以後、端末は、本発明のシステム情報及び隣接基地局放送メッセージの処理手順を終了する。
【０１１９】
前記ブロードキャストシステム情報指示メッセージは、ページング聴取区間でＰ−ＢＣＨ又はＳ−ＢＣＨを含むスーパーフレームヘッダと同じサブフレーム又はその次のサブフレームで送信されるか、前記スーパーフレームヘッダと同じフレームで送信される。また、前記ブロードキャストシステム情報指示メッセージが送信される場合には、前記ブロードキャストシステム情報指示メッセージの送信位置が予め決まっており、前記端末は、決まった位置で前記ブロードキャストシステム情報指示メッセージを受信することもできる。
【０１２０】
前記図６と前記図７は、端末がブロードキャストシステム情報指示メッセージを処理し、アイドルモードにとどまる場合を説明したが、前記端末がページング対象になるか、又は位置更新手順を行うか、又はアイドルモードから外れる場合にも、前記付加的なシステム制御放送メッセージ又は隣接基地局放送メッセージを受信するために、前記ブロードキャストシステム情報指示メッセージを処理することができる。
【０１２１】
上記では、ページング指示子を利用してページングメッセージの有無を指示できることを説明した。ここで、前記ページング指示子を活用する他の方法について説明する。
【０１２２】
ページング聴取区間に該当するスーパーフレーム内で端末にページングメッセージが送信されるフレームが予め定義されているとき、前記ページング指示子は、該当フレームにページングメッセージが送信されているか否かを表すためのフォーマットを有することができる。すなわち、前記ページング指示子が一つのスーパーフレームを構成するフレームの個数と同じ長さのビットから構成される場合に、前記ページング指示子の各ビットは、前記各フレームにページングメッセージが送信されているか否かが０又は１の値で表示される。一例として、前記ページング指示子が１０１０の値を有すると、前記スーパーフレームの第１番目のフレームと第３番目のフレームには、ページングメッセージが送信されることを表すので、前記第１番目のフレームと第３番目のフレームでページングメッセージを受信するように定められた端末は、それぞれ第１番目のフレームと第３番目のフレームで前記ページングメッセージを受信すれば良い。仮に、第２番目のフレームと第４番目のフレームでページングメッセージを受信するように定められた端末は、今回のページング聴取区間ではページングメッセージが送信されないことを知って、ページング非聴取区間に遷移するようになる。
【０１２３】
また、上記の例において、第１番目のフレームと第３番目のフレームでページングメッセージを受信するように定められた端末は、前記該当フレームの第１番目のサブフレームで送信されるマップが指示する位置で前記ページングメッセージを受信する。第１番目のフレームの場合、第１番目のサブフレームがスーパーフレームヘッダ送信に使用されると、第２番目のサブフレームで前記マップが送信される。前記マップは、前記ページングメッセージをデコードするための情報、前記ページングメッセージの長さ情報などを含み、アイドルモードマルチキャスト識別子を利用してデコードできる。本発明の例示的な実施形態によれば、ページングメッセージの送信情報を含むマップは、動的に前記該当フレーム内の任意のサブフレームに位置できる。
【０１２４】
スーパーフレーム内でページングメッセージが送信されるフレームが決定されているとき、該当フレームの任意のあるサブフレームを介してページングメッセージが送信されるかを知らせる方法を使用するか、又は該当スーパーフレームの任意のあるサブフレームを介してページングメッセージが送信されるかを知らせる方法を使用することができる。前記サブフレーム情報は、前記ページンググループ識別子が送信されるページング制御情報放送チャネルを介して提供されることができる。
【０１２５】
一方、ページングメッセージが送信されるスタート位置とＭＣＳ（Ｍｏｄｕｌａｔｉｏｎ  ａｎｄ  Ｃｏｄｉｎｇ  Ｓｃｈｅｍｅ）情報などを予め決定すると、マップを利用しなくてもページングメッセージの割り当て情報を利用できる。このとき、前記ページングメッセージのバーストサイズ情報は、予め決定できないので、前記ページングメッセージを送信するごとに別途にバーストサイズ情報を知らせることが必要であり、前記バーストサイズ情報を知らせるために固定された資源を使用する方案が考慮される。しかしながら、該当サブフレームで前記ページングメッセージの他にスリープモード(sleep-mode)のトラフィック指示子メッセージ、隣接基地局広告メッセージ又は他のブロードキャスト形態で送信されるシステム情報メッセージなどが送信されることができるので、前記端末に該当バーストが前記どの目的のためのメッセージを含んでいるかを知らせることが必要である。したがって、前記バーストサイズ情報を知らせるために用いられる固定資源に前記バーストから送信するメッセージのタイプ情報を含むことが必要である。
【０１２６】
前記ページング指示子は、ページングメッセージが送信されるフレーム情報及びページンググループ識別子情報も結合して使用されうる。すなわち、前記表３〜表５の例を挙げて説明したように、一ページンググループに属した端末にページングメッセージが存在することを表すために、ページンググループ識別子とページング指示子とを結合したように、これに加えて一ページンググループに属した端末のうち、スーパーフレーム内の特定フレームでページングメッセージを受信する端末グループのために、前記ページングメッセージが送信されることを表す目的としてページング指示子、ページンググループ識別子及びページングメッセージが送信されるフレーム情報を結合した情報を送信できるが、構造は、ページンググループ識別子と各フレームに対するページング指示子とを結合した形態を有する。
【０１２７】
前記ページング指示子の情報は、Ｐ−ＢＣＨ、Ｓ−ＢＣＨ、又は別途の放送チャネルを介して送信される。
【０１２８】
一方、上記のようなページング指示子が導入されないシステムでも、前記ページングメッセージの送信の有無を判断する方法が考慮されうる。各端末がページングメッセージを受信するようになるフレームが予め決まっており、ページング聴取区間に入った前記端末は、自分に決まった該当フレームの第１番目のサブフレームで前記ページングメッセージの送信情報を含むマップをデコードする。第１番目のフレームの場合、第１番目のサブフレームがスーパーフレームヘッダ送信に使用されると、第２番目のサブフレームで前記マップが送信される。前記マップは、アイドルモードマルチキャスト識別子を利用してデコードする。前記端末は、前記マップが指示する位置で前記ページングメッセージを受信する。前記該当フレームの第１番目のサブフレームでアイドルモードマルチキャスト識別子でデコードされたマップがない場合、前記フレームには、ページングメッセージが送信されないことを表し、前記フレームでページングメッセージを受信するように定められた端末は、ページング非聴取区間に遷移する。
【０１２９】
上述したように、本発明は、無線通信システムでページング周期及びページングオフセットをシステム放送情報が送信される周期に一致させることによって、ページング聴取区間でアウェイク（ａｗａｋｅ）状態にある端末が前記システム放送情報を受信するために待機する時間を最適化できるという利点がある。また、ＭＯＢ＿ＰＡＧ−ＡＤＶメッセージの送信回数を減らすことによって、前記ＭＯＢ＿ＰＡＧ−ＡＤＶメッセージのオーバーヘッドを減らすことができる。そして、ＭＯＢ＿ＰＡＧ−ＡＤＶメッセージの存在の有無を知らせることによって、不必要なＭＯＢ＿ＰＡＧ−ＡＤＶメッセージの受信待機時間を減らして、端末の電力消費を減らすことができる。また、ページンググループ識別子をＭＯＢ＿ＰＡＧ−ＡＤＶメッセージでない前記ページング聴取区間で受信する前記システム放送情報を介して送信することによって、前記ＭＯＢ＿ＰＡＧ−ＡＤＶメッセージのオーバーヘッドを減らすことができる。
【０１３０】
本発明の詳細な説明では具体的な実施の形態について説明したが、本発明の範囲から逸脱しない範囲内で多様な変形が可能であることは勿論である。したがって、本発明の範囲は、上述の実施の形態に限定されず、特許請求の範囲だけでなく、特許請求の範囲と均等なものによって決まらねばならない。
【符号の説明】
【０１３１】
１４１：ページング指示子
１４３：ページンググループ識別子
１４５：Ｐ−ＢＣＨの情報変更カウンタ
５０１：ＲＦ処理器
５０３：アナログ／デジタル変換器
５０５：ＯＦＤＭ復調器
５０７：復号化器
５０９：メッセージ処理部
５１１：制御部
５１３：ページング制御機
５１５：アイドルモード制御機
５１７：メッセージ生成部
５１９：符号化器
５２１：ＯＦＤＭ変調器
５２３：デジタル／アナログ変換器
５２５：ＲＦ処理器
５２７：ＴＤＤスイッチ
５２９：時間制御器
【図１】
2011522499.tif 000010
【図２】
2011522499.tif 000011
【図３】
2011522499.tif 000012
【図４】
2011522499.tif 000013
【図５】
2011522499.tif 000014
【図６】
2011522499.tif 000015
【図７】
2011522499.tif 000016
【国際調査報告】
2011522499.tif 000017
2011522499.tif 000018